【手続補正書】
【提出日】平成27年3月5日(2015.3.5)
【手続補正１】
【補正対象書類名】特許請求の範囲
【補正対象項目名】全文
【補正方法】変更
【補正の内容】
【特許請求の範囲】
【請求項１】
車載装置であって、
画像を表示する表示手段と、
ユーザから検索条件を受け付ける受付手段と、
を備え、
前記表示手段は、
（ａ）前記検索条件に基づく検索結果に含まれる候補の数が閾値より小さい場合は、前記候補を表示し、
（ｂ）前記候補の数が前記閾値より大きい場合は、
（ｂ１）前記候補が属するグループのリストを表示し、
（ｂ２）前記グループのリストから前記ユーザに一のグループが指定された場合は、指定された前記一のグループに含まれる前記候補を表示することを特徴とする車載装置。
【請求項２】
請求項１に記載の車載装置において、
前記表示手段は、
前記候補が属するグループに対応するボタンを有効化して表示し、
前記候補が属するグループに対応しないボタンを無効化して表示することを特徴とする車載装置。
【請求項３】
請求項１に記載の車載装置において、
前記表示手段は、
前記候補が属するグループに対応するボタンを表示し、
前記候補が属するグループに対応しないボタンを表示しないことを特徴とする車載装置。
【請求項４】
請求項２または３に記載の車載装置において、
前記表示手段は、前記グループに属する前記候補の数に応じた色で、当該グループに対応するボタンを表示することを特徴とする車載装置。
【請求項５】
請求項１ないし４のいずれかに記載の車載装置において、
前記候補は、ナビゲーションの目的地の候補地であり、
前記グループは、地域であることを特徴とする車載装置。
【請求項６】
ナビゲーションシステムであって、
ナビゲーションに関するデータを提供するデータ提供装置と、
前記データ提供装置と通信可能な、請求項１ないし５のいずれかに記載の車載装置と、
を備えることを特徴とするナビゲーションシステム。
【請求項７】
候補選択方法であって、
（ａ）ユーザから検索条件を受け付ける工程と、
（ｂ）前記検索条件に基づく検索結果に含まれる候補の数が閾値より小さい場合に、前記候補を表示する工程と、
（ｃ）前記候補の数が前記閾値より大きい場合に、
（ｃ１）前記候補が属するグループのリストを表示する工程と、
（ｃ２）前記グループのリストから前記ユーザに一のグループが指定された場合は、指定された前記一のグループに含まれる前記候補を表示する工程と、
を備えることを特徴とする候補選択方法。
【手続補正２】
【補正対象書類名】明細書
【補正対象項目名】発明の名称
【補正方法】変更
【補正の内容】
【発明の名称】車載装置、ナビゲーションシステム及び候補選択方法
【手続補正３】
【補正対象書類名】明細書
【補正対象項目名】０００１
【補正方法】変更
【補正の内容】
【０００１】
本発明は、候補を選択する技術に関する。
【手続補正４】
【補正対象書類名】明細書
【補正対象項目名】０００９
【補正方法】変更
【補正の内容】
【０００９】
本発明は、上記課題に鑑みてなされたものであり、データ量を減らすことができる技術を提供することを目的とする。
【手続補正５】
【補正対象書類名】明細書
【補正対象項目名】００１０
【補正方法】変更
【補正の内容】
【００１０】
上記課題を解決するため、請求項１の発明は、車載装置であって、画像を表示する表示手段と、ユーザから検索条件を受け付ける受付手段と、を備え、前記表示手段は、（ａ）前記検索条件に基づく検索結果に含まれる候補の数が閾値より小さい場合は、前記候補を表示し、（ｂ）前記候補の数が前記閾値より大きい場合は、（ｂ１）前記候補が属するグループのリストを表示し、（ｂ２）前記グループのリストから前記ユーザに一のグループが指定された場合は、指定された前記一のグループに含まれる前記候補を表示する。
【手続補正６】
【補正対象書類名】明細書
【補正対象項目名】００１１
【補正方法】変更
【補正の内容】
【００１１】
また、請求項２の発明は、請求項１に記載の車載装置において、前記表示手段は、前記候補が属するグループに対応するボタンを有効化して表示し、前記候補が属するグループに対応しないボタンを無効化して表示する。
【手続補正７】
【補正対象書類名】明細書
【補正対象項目名】００１２
【補正方法】変更
【補正の内容】
【００１２】
また、請求項３の発明は、請求項１に記載の車載装置において、前記表示手段は、前記候補が属するグループに対応するボタンを表示し、前記候補が属するグループに対応しないボタンを表示しない。
【手続補正８】
【補正対象書類名】明細書
【補正対象項目名】００１３
【補正方法】変更
【補正の内容】
【００１３】
また、請求項４の発明は、請求項２または３に記載の車載装置において、前記表示手段は、前記グループに属する前記候補の数に応じた色で、当該グループに対応するボタンを表示する。
【手続補正９】
【補正対象書類名】明細書
【補正対象項目名】００１４
【補正方法】変更
【補正の内容】
【００１４】
また、請求項５の発明は、請求項１ないし４のいずれかに記載の車載装置において、前記候補は、ナビゲーションの目的地の候補地であり、前記グループは、地域である。
【手続補正１０】
【補正対象書類名】明細書
【補正対象項目名】００１５
【補正方法】変更
【補正の内容】
【００１５】
また、請求項６の発明は、ナビゲーションシステムであって、ナビゲーションに関するデータを提供するデータ提供装置と、前記データ提供装置と通信可能な、請求項１ないし５のいずれかに記載の車載装置と、を備えている。
【手続補正１１】
【補正対象書類名】明細書
【補正対象項目名】００１６
【補正方法】変更
【補正の内容】
【００１６】
また、請求項７の発明は、候補選択方法であって、（ａ）ユーザから検索条件を受け付ける工程と、（ｂ）前記検索条件に基づく検索結果に含まれる候補の数が閾値より小さい場合に、前記候補を表示する工程と、（ｃ）前記候補の数が前記閾値より大きい場合に、（ｃ１）前記候補が属するグループのリストを表示する工程と、（ｃ２）前記グループのリストから前記ユーザに一のグループが指定された場合は、指定された前記一のグループに含まれる前記候補を表示する工程と、を備えることを特徴とする。
【手続補正１２】
【補正対象書類名】明細書
【補正対象項目名】００１７
【補正方法】変更
【補正の内容】
【００１７】
請求項１ないし７の発明によれば、候補の数が比較的多い場合であっても、データ量を減らすことができる。
【手続補正１３】
【補正対象書類名】明細書
【補正対象項目名】００１８
【補正方法】変更
【補正の内容】
【００１８】
また、特に請求項２の発明によれば、候補が属するグループに対応するボタンを有効化し、候補が属するグループに対応しないボタンを無効化するため、ユーザは、候補が属するグループを容易に把握することができる。
【手続補正１４】
【補正対象書類名】明細書
【補正対象項目名】００１９
【補正方法】変更
【補正の内容】
【００１９】
また、特に請求項３の発明によれば、候補が属するグループに対応しないボタンが表示されないため、ユーザは、候補が属するグループを容易に把握することができる。
【手続補正１５】
【補正対象書類名】明細書
【補正対象項目名】００２０
【補正方法】変更
【補正の内容】
【００２０】
また、特に請求項４の発明によれば、グループに属する候補の数に応じた色で当該グループに対応するボタンを表示するため、ユーザは、ボタンの色に基づいて各グループに属する候補の数を直感的に把握することができる。
【手続補正１６】
【補正対象書類名】明細書
【補正対象項目名】００２１
【補正方法】変更
【補正の内容】
【００２１】
また、特に請求項５の発明によれば、検索結果となる目的地の候補地が属する地域のうちから一の地域を選択し、選択した一の地域に属する候補地を表示することができる。